(57)【要約】  放送用途等に好適なＰｏＣ通信システムを提供する。  ＰｏＣサーバ３０と、ＰｏＣサーバ３０に接続可能な端末１０、ＭＳ１〜ＭＳｎと、を含んだ通信システムのＰｏＣサーバ３０が、送信権の割り当て権限を有する第１種の端末１０と、送信権の割り当て権限を有さない第２種の端末ＭＳ１〜ＭＳｎに分けて、グループに参加する各端末を登録・管理する。ＰｏＣサーバ３０は、第１種の端末１０からの指定に基づいて、該グループに属する他の端末に送信権を割り当て、送信権を与えられた端末からの送信データは、パケット通信網を介して一斉に同報される。【特許請求の範囲】
【請求項１】
パケット通信網に接続され、送信権を与えた端末からの送信データを、該端末が属するグループの端末に対して、前記パケット通信網を介して一斉に同報する半２重のデータ転送サービスを提供するＰｕｓｈ−ｔｏ−Ｔａｌｋサーバ（ＰＴＴサーバ）であって、
送信権の割り当て権限を有する第１種の端末と、送信権の割り当て権限を有さない第２種の端末に分けて、グループに参加する各端末を管理する手段と、
前記第１種の端末からの指定に基づいて、該グループに属する他の端末に送信権を割り当てる手段と、
を備えること、を特徴とするＰＴＴサーバ。
【請求項２】
前記グループの開設要求を行った端末のみを前記第１種の端末とし、送信権の割り当て権限を与えること、
を特徴とする請求項１に記載のＰＴＴサーバ。
【請求項３】
前記第２種の端末から送信された公開可能情報のみを他の端末に通知すること、
を特徴とする請求項１又は２に記載のＰＴＴサーバ。
【請求項４】
更に、前記各端末に与えられた有効期間に基づいて、前記各端末の前記グループへの参加可否を決定する手段を備えること、
を特徴とする請求項１乃至３いずれか一に記載のＰＴＴサーバ。
【請求項５】
非接触ＩＣを備えた端末に対して、エリア毎に固有のグループ毎に設定されるアドレスを自動送信する手段を備え、
前記端末をして、請求項１乃至３いずれか一に記載のＰＴＴサーバに対し、該エリアに対応するグループへの参加要求を行わせること、
を特徴とするゲート装置。
【請求項６】
パケット通信網に接続されたＰｕｓｈ−ｔｏ−Ｔａｌｋ（ＰＴＴ）サーバと、前記ＰＴＴサーバに接続可能な端末群と、を含んで構成され、前記ＰＴＴサーバより送信権を与えられた端末からの送信データが、該端末が属するグループの端末に対して、前記パケット通信網を介して一斉に同報される半２重のデータ転送サービスを提供する通信システムであって、
前記ＰＴＴサーバが、
送信権の割り当て権限を有する第１種の端末と、送信権の割り当て権限を有さない第２種の端末に分けて、任意のグループに参加する各端末を管理する手段と、
前記第１種の端末からの指定に基づいて、該グループに属する他の端末に送信権を割り当てる手段と、
を備えること、を特徴とする通信システム。
【請求項７】
前記グループの開設要求を行った端末のみが、前記第１種の端末として指定されること、
を特徴とする請求項６に記載の通信システム。
【請求項８】
前記ＰＴＴサーバは、前記第２種の端末から送信された公開可能情報のみを他の端末に通知し、前記第１種の端末が前記公開可能情報の一覧を公開すること、
を特徴とする請求項６又は７に記載の通信システム。
【請求項９】
前記グループ毎に設定されるアドレスは、有効期間情報を付加して公開され、
前記ＰＴＴサーバが、前記各端末が送信する有効期間情報に基づいて、前記各端末の前記グループへの参加可否を決定する手段を備えること、
を特徴とする請求項６乃至８いずれか一に記載の通信システム。
【請求項１０】
更に、非接触ＩＣを備えた端末に対して、エリア毎に固有のグループ毎に設定されるアドレスを自動送信する手段を備えたゲート装置であって、前記端末をして、前記ＰＴＴサーバに対し、該エリアに対応するグループへの参加要求を行わせるゲート装置が所定のエリア毎に配設されたこと、
を特徴とする請求項６乃至９いずれか一に記載の通信システム。
【請求項１１】
パケット通信網に接続され、送信権を与えた端末からの送信データを、該端末が属するグループの端末に対して、前記パケット通信網を介して一斉に同報する半２重のデータ転送サービスを提供するＰｕｓｈ−ｔｏ−Ｔａｌｋサーバ（ＰＴＴサーバ）を構成するコンピュータに実行させるプログラムであって、
送信権の割り当て権限を有する第１種の端末と、送信権の割り当て権限を有さない第２種の端末に分けて、グループに参加する各端末を登録・管理する処理と、
前記第１種の端末からの指定に基づいて、該グループに属する他の端末に送信権を割り当てる処理と、を含む各処理を前記ＰＴＴサーバに実行させるプログラム。
【請求項１２】
前記グループの開設要求を行った端末のみを前記第１種の端末として登録し、該グループに参加する端末を前記第２種の端末として登録すること、
を特徴とする請求項１１に記載のプログラム。
【請求項１３】
更に、前記第２種の端末から送信された公開可能情報を他の端末に通知する処理を、
前記ＰＴＴサーバに実行させる請求項１１又は１２に記載のプログラム。
【請求項１４】
更に、前記各端末に与えられた有効期間に基づいて、前記各端末の前記グループへの参加可否を決定する処理を前記ＰＴＴサーバに実行させる請求項１１乃至１３いずれか一に記載のプログラム。
【請求項１５】
パケット通信網に接続されたＰｕｓｈ−ｔｏ−Ｔａｌｋ（ＰＴＴ）サーバと、前記ＰＴＴサーバに接続可能な端末群と、を含んで構成され、前記ＰＴＴサーバより送信権を与えられた端末からの送信データが、該端末が属するグループの端末に対して、前記パケット通信網を介して一斉に同報される半２重のデータ転送サービスを提供する通信システムを用いて実施する通信方法であって、
前記ＰＴＴサーバが、
送信権の割り当て権限を有する第１種の端末と、送信権の割り当て権限を有さない第２種の端末に分けて、グループに参加する各端末を登録・管理するステップと、
前記第１種の端末からの指定に基づいて、該グループに属する他の端末に送信権を割り当てるステップと、
を含むこと、を特徴とする通信方法。
【請求項１６】
前記グループの開設要求を行った端末のみを前記第１種の端末として登録し、前記グループに参加する端末を前記第２種の端末として登録すること、
を特徴とする請求項１５に記載の通信方法。
【請求項１７】
更に、前記ＰＴＴサーバが、前記第２種の端末から送信された公開可能情報を他の端末に通知するステップと、
前記第１種の端末が、前記公開可能情報の一覧を公開するステップと、を含むこと、
を特徴とする請求項１５又は１６に記載の通信方法。
【請求項１８】
前記グループ毎に設定されるアドレスは、有効期間情報を付加して公開され、
前記ＰＴＴサーバが、前記各端末が送信する有効期間情報に基づいて、前記各端末の前記グループへの参加可否を決定するステップを含むこと、
を特徴とする請求項１５乃至１７いずれか一に記載の通信方法。
【請求項１９】
任意の端末が、Ｗｅｂサイトから前記グループ毎に設定されるアドレスを入手するステップと、
該端末が、前記アドレスを用いて前記ＰＴＴサーバに対し前記グループへの参加要求を行うステップと、を含むこと、
を特徴とする請求項１５乃至１８いずれか一に記載の通信方法。
【請求項２０】
任意の端末が、該端末に備えられたバーコードリーダを用いて、バーコードから前記グループ毎に設定されるアドレスを入手するステップと、
該端末が、前記アドレスを用いて前記ＰＴＴサーバに対し前記グループへの参加要求を行うステップと、を含むこと、
を特徴とする請求項１５乃至１９いずれか一に記載の通信方法。
【請求項２１】
任意の端末が、該端末に備えられた非接触ＩＣを用いて、所定のエリアに配設されたゲート装置から前記エリア毎に設定されるアドレスを入手するステップと、
該端末が、前記アドレスを用いて前記ＰＴＴサーバに対し前記エリアに対応するグループへの参加要求を行うステップと、を含むこと、
を特徴とする請求項１５乃至２０いずれか一に記載の通信方法。
【発明の詳細な説明】
【技術分野】
【０００１】
本発明は、複数の端末間で１対多型の通話を実現するＰｕｓｈ−ｔｏ−Ｔａｌｋ（以下、ＰＴＴ）機能を備えた携帯電話機を用いたＰＴＴサーバ、ゲート装置、通信システム、プログラムおよび通信方法に関する。
【背景技術】
【０００２】
近年、携帯電話機にＰＴＴ機能を実装し、１対多型の通話を実現するＰｕｓｈ−ｔｏ−Ｔａｌｋ  ｏｖｅｒ  Ｃｅｌｌｕｌａｒ（以下、ＰｏＣ）サービスが普及し始めようとしている。このＰｏＣサービスの特徴としては、回線交換式の通話サービスと異なり、１対多人数の通話ができることが挙げられる。但し、帯域の制限等により、二人以上が同時に発話することはできず、誰かが話し終わるのを待ち、話者権を取ってから話すというトランシーバのような半２重の通話サービスの提供が考えられている。【０００３】
ＰｏＣサービスは、ＰｏＣグループの管理（グループ管理機能）、メンバの登録、メンバの「不在」や「在室」等の参加可否情報の把握（プレゼンス機能）、話者権の割当て（フロア制御；ＰｏＣ機能）を備えるＰｏＣサーバによって行われる。ＰｏＣサーバにおける呼制御には、ＩＰ電話等と同様にＳＩＰ（ｓｅｓｓｉｏｎ  ｉｎｉｔｉａｔｉｏｎ  Ｐｒｏｔｏｃｏｌ）が用いられる。相手とのセッションの確立後は、端末に付与されたＩＰアドレスに基づいて、音声等のＶｏｉｃｅ  ｏｖｅｒ  ＩＰ（以下、ＶｏＩＰ）通信が行われる仕組みとなっている。【０００４】
現在のＰｏＣ通信では、各メンバは対等であり、話者権が解放状態（誰も話していない状態）において、端末の発話ボタンを押し、ＰｏＣサーバに話者権獲得通知を送信することにより話者権を獲得する仕組みとなっている。不特定多数の人がＰｏＣグループに参加した場合、誰でも先の条件にて話者権を獲得し発言することが可能となる。また、ＰｏＣグループの参加者は、同等に参加メンバの情報を知りえるシステムとなっている。【０００５】
特許文献１には、上記ＰＴＴ技術を用いた放送システムが開示されている。同公報においても各無線電話機は対等であり、サーバがボタン押下状態にある無線電話機の中からメッセージ配置権を与える無線電話機を裁定し、裁定された無線電話機からの音声データを他の電話機に送出する構成となっている。【０００６】
また、ＰｏＣ技術を用いるものでないが、特許文献２には、受信のみを行い得る端末と、送受信をなしうる端末というように、各端末を非対等とした多地点会議システムが開示されている。
【特許文献１】特表２００２−５３６９２８号公報
【特許文献２】特開２００４−１８７１０８号公報
【発明の開示】
【発明が解決しようとする課題】
【０００７】
ところで、任意の端末が参加しうる放送システムや会議システム等に上記ＰＴＴないしＰｏＣ技術を適用することを考えた場合、不特定のメンバから自由に発言されては困る、発言を認めるとしても司会者等の権限としたいという要請がある。【０００８】
この点、特許文献１の技術では、基本的にすべての無線電話機が発言をなしうる構成となっている点で、グループへの参加の段階で好ましからざる者を排除せざるを得ないと考えられる。また、特許文献２の技術では、会議主催者端末の権限の下、発言要求があった端末の状態（ステータス）を変更し、複数の端末が同時に送信者となる（同公報図２のステップｄ〜ｋ、図３参照）ことが可能となっているが、半２重という制限下では、上記のようなデータ送信権の複数割り当ては不可能である。【０００９】
本発明は、上記した事情に鑑みてなされたものであって、ＰＴＴサーバが前記パケット通信網を介して送信権を与えた端末からの送信データを一斉に同報する半２重のデータ転送サービスにおけるデータ送信権の割り当てを一定の者の権限下に置くことのできる通信システム、装置、プログラム、及び、通信方法を提供することをその目的とする。
【課題を解決するための手段】
【００１０】
本発明の第１の視点によれば、パケット通信網に接続され、該端末が属するグループの端末に対して、前記パケット通信網を介して一斉に同報する半２重のデータ転送サービスを提供するＰｕｓｈ−ｔｏ−Ｔａｌｋサーバ（ＰＴＴサーバ）であって、送信権の割り当て権限を有する第１種の端末と、送信権の割り当て権限を有さない第２種の端末に分けて、グループに参加する各端末を管理する手段と、前記第１種の端末からの指定に基づいて、該グループに属する他の端末に送信権を割り当てる手段と、を備えること、を特徴とするＰＴＴサーバ、当該ＰＴＴサーバを備えた通信システム（放送システム／会議システム）及び前記ＰＴＴサーバを実現するためのプログラムが提供される。【００１１】
また、本発明の第２の視点によれば、前記ＰＴＴサーバと、前記ＰＴＴサーバに接続可能な端末群と、を含んだ通信システムを用いて実施する通信方法であって、前記ＰＴＴサーバが、送信権の割り当て権限を有する第１種の端末と、送信権の割り当て権限を有さない第２種の端末に分けて、グループに参加する各端末を登録・管理するステップと、前記第１種の端末からの指定に基づいて、該グループに属する他の端末に送信権を割り当てるステップと、を含むこと、を特徴とする通信方法（放送方法／会議方法）が提供される。【００１２】
また、本発明の第３の視点によれば、非接触ＩＣを備えた端末に対して、エリア毎に固有のグループ毎に設定されるアドレスを自動送信する手段を備え、前記端末をして、前記ＰＴＴサーバに対し、該エリアに対応するグループへの参加要求を行わせること、を特徴とするゲート装置、該ゲート送信を含んだ通信システム及び通信方法が提供される。
【発明の効果】
【００１３】
本発明によれば、半２重という制限下で上記ＰｏＣグループの主導権を握る者の端末からの送信と、前記端末から指定された他の端末からの割り込み送信とを織り交ぜて行う形態のデータの配信が可能となる。【００１４】
また、本発明のゲート装置によれば、上記通信システムを特定のエリアのエリア限定情報システムとして機能させることが可能となる。
【発明を実施するための最良の形態】
【００１５】
続いて、本発明を実施するための最良の形態について、図面を参照して詳細に説明する。図１は、ＰｏＣ技術を放送用途に適用した本発明の第１の実施形態に係る放送システム（ＰｏＣ放送システム）の構成を表した図である。図１を参照すると、情報端末（Ｓｅｎｄｅｒ；発信者）１０と、携帯端末（Ｒｅｃｉｐｉｅｎｔ；受信者）ＭＳ１〜ＭＳｎと、ＰｏＣサーバ３０とを、ＩＰネットワークを介して接続した放送システムが示されている。【００１６】
情報端末１０は、話者権の割り当てのための入出力装置や、ＰｏＣサーバ３０に対し音声データを送受信するマイク・スピーカを備えたパーソナルコンピュータ等の情報処理装置である。以下、情報端末１０のみが話者権の割り当て権限を有し、メンバ全体の発言をリードしていくため、発信者端末と呼ぶこととする。【００１７】
図２は、携帯端末ＭＳｎの詳細構成を表した図である。図２を参照すると、携帯端末ＭＳｎは、携帯端末各部の動作を制御する制御部１２、情報を保持するメモリ１３、通信網へ無線接続する無線部１４、各種操作を受け付ける操作部１５、各種情報を表示する表示部１６、音声を入力するマイク１７、音声を出力するスピーカ１８を含んで構成される。以下、携帯端末ＭＳ１〜ＭＳｎは話者権の割り当て権限を有さないため、受信者端末とも呼ぶこととする。【００１８】
また、より望ましくは、携帯端末ＭＳｎは、ＰｏＣアドレスの入手を容易にするという観点から、後記する放送エリアに設けられたゲート装置からＰｏＣアドレスを受信する非接触ＩＣ１９、雑誌等の印刷媒体等からバーコードを読み取るためのカメラ２０のいずれか一方、又は、双方を備えて構成される。【００１９】
ＰｏＣサーバ３０は、ＰｏＣグループの管理を行うグループ管理機能と、メンバの登録、メンバの「不在」や「在室」等の参加可否情報の把握を行うとともにメンバを話者権の割り当て権限を有する発信者（第１種の端末）と、話者権の割り当て権限を有さない受信者（第２種の端末）とに分けて管理するプレゼンス機能と、前記発信者（第１種の端末）の指定に基づいて話者権の割当てを行うＰｏＣ機能とを実現するプログラムがインストールされた情報処理装置である。呼制御にはＳＩＰを用い、相手とのセッションの確立後は、各携帯端末に付与されたＩＰアドレスに基づいて、ＶｏＩＰ通信が行われる仕組みとなっている。【００２０】
続いて、本実施形態の動作について、図３〜図５を参照して詳細に説明する。図３は、ＰｏＣ放送グループ（ＰｏＣ放送Ｇｒ）において情報発信者（図３〜図５において発信者と表記）として機能する情報端末１０の動作を表した図である。図４は、ＰｏＣサーバ３０の動作を表した図である。図５は、ＰｏＣ放送グループ（ＰｏＣ放送Ｇｒ）において情報受信者（図３〜図５において受信者と表記）として機能する携帯端末ＭＳ１〜ＭＳｎの動作を表した図である。以下、情報端末１０の動作については図３が、ＰｏＣサーバ３０の動作については図４が、携帯端末ＭＳ１〜ＭＳｎの動作については図５が参照される。【００２１】
ＰｏＣ放送を行うにあたり、ＰｏＣ放送立上げ前の状態から（ステップＡ１０１；Ｓｔａｒｔ）、ＰｏＣ放送において情報を発信しようと考えている発信者は情報端末１０からＰｏＣサーバに接続し（ステップＡ１０２）、自らが話者権の割り当て操作が可能な「発信者」ステータス（第１種の端末）となる新規ＰｏＣ放送グループの立上げをＰｏＣサーバ３０に要求する（ステップＡ１０３）。【００２２】
ＰｏＣサーバ３０は、前記立上げ要求を受信すると（ステップＢ１０２のＹｅｓ）、前記立上げ要求元の端末を発信者ステータス（第１種の端末）とするＰｏＣ放送グループを作成する（ステップＢ１０３）。続いて、ＰｏＣサーバ３０は、作成したＰｏＣ放送グループのＰｏＣアドレス、放送名等の情報を含め作成完了通知を情報端末１０（発信者）に対して送信する（ステップＢ１０４）。【００２３】
情報端末１０は、前記作成完了通知を受信すると（ステップＡ１０４のＹｅｓ）、ＰｏＣ放送のアドレス（ＰｏＣアドレス）を公開する（ステップＡ１０５）。またこのとき、情報端末１０は、ＰｏＣ放送を受信可能な有効期間を設定し、この有効期間情報を暗号化したものをＰｏＣアドレスに付加する。【００２４】
前記公開の方法は、受信者対象に応じた態様が選択され、例えば、不特定多数のユーザを受信者の対象とする場合は、所定のＷｅｂサイト上にＵＲＬ（Ｕｎｉｆｏｒｍ  Ｒｅｓｏｕｒｃｅ  Ｌｏｃａｔｏｒ）を掲載する形で行われる。また、カメラ２０を備えた携帯端末ＭＳ１〜ＭＳｎのユーザを対象とするならば、ＵＲＬを変換したバーコード等が印刷された印刷物を配布し、これをカメラで読み取らせることにより公開が行われる。また、施設等の館内放送の代替として本システムを導入するならば、施設等の入り口に、ゲート装置を構成するＦｅｌｉｃａ（登録商標）等の前記ＰｏＣアドレスを送信可能な非接触ＩＣシステムを配置し、非接触ＩＣ１９を備えた携帯端末ＭＳ１〜ＭＳｎが入り口を通過する際にＰｏＣアドレスが携帯端末ＭＳ１〜ＭＳｎ側に自動的に取り込まれるよう構成することによってＰｏＣアドレスの公開が行われる。【００２５】
一方、携帯端末ＭＳ１〜ＭＳｎは、公開されたＰｏＣアドレスを入手すると（ステップＣ１０２）、該ＰｏＣアドレスへアクセスし、ＰｏＣグループへの参加要求（接続リクエスト）を送信する（ステップＣ１０３）とともに、他の端末へ公開可能な情報をＰｏＣサーバに送信する（ステップＣ１０４）。【００２６】
ここで、公開可能な情報とは、ＰｏＣ放送グループへ参加する他のユーザにとって、発言者の属性を知るための有用な情報となるハンドルネーム、性別、年齢等であり、携帯端末ＭＳ１〜ＭＳｎを特定できるような情報は含まれない。もちろん、ユーザの匿名性、ＰｏＣ放送グループへの参加しやすさを考慮して、前記ステップＣ１０４を省略することとしてもよい。【００２７】
ＰｏＣサーバ３０は、前記ＰｏＣグループへの参加要求を受信すると（ステップＢ１０５のＹｅｓ）、前記参加要求に含まれる有効期間情報の有効可否を判断する（ステップＢ１０６）。ここで、前記参加要求に含まれる有効期間情報が無効である場合、ＰｏＣサーバ３０は、参加要求した携帯端末に受信非許容通知を送信する（ステップＢ１１０）。【００２８】
このように、情報端末１０で設定した有効期間をＰｏＣサーバ３０側でＰｏＣグループへの参加要求時に確認することによって、ＰｏＣ放送の受信を一定期間に制限することが可能となる。また、例えば、施設等の館内放送の代替として本システムを導入した場合は、従来の入場チケットの有効期間と同様に、ＰｏＣ放送を受信できる時間を制限することが可能となる。【００２９】
一方、ステップＢ１０６で有効期間情報が有効であった場合は、ＰｏＣサーバ３０は、前記ＰｏＣグループへの参加要求元の端末に、受信者ＩＤナンバーを割振り、受信者ステータス（第２種の端末）であるＰｏＣ放送グループのメンバとして登録する（ステップＢ１０７）。【００３０】
続いて、ＰｏＣサーバ３０は、受信者ステータス（第２種の端末）であるメンバのアドレス等の秘匿性の高い情報については情報端末１０及び携帯端末から閲覧不可とし、ステップＣ１０４で入力された公開可能な情報及び受信者ＩＤナンバーを情報端末１０に送信する（ステップＢ１０８）。更に、ＰｏＣサーバ３０は、参加要求した携帯端末に対して、割振られた受信者ＩＤナンバーを含むＰｏＣ放送のグループ参加許可通知（Ｇｒ参加許可通知）を送信する（ステップＢ１０９）。【００３１】
携帯端末は、前記グループ参加許可通知（Ｇｒ参加許可通知）を受信すると（ステップＣ１０５のＹｅｓ）、ＰｏＣ放送名、受信者ＩＤナンバー、有効期間、自端末の公開情報、話者権の有無状態を表示部１６に表示する（ステップＣ１０６）。これらの情報は、ＰｏＣサーバ３０から変更情報が送信された内容に応じて随時更新される。【００３２】
一方、情報端末１０は、公開可能な情報及び受信者ＩＤナンバーを受信することによって、ＰｏＣ放送グループに参加者が登録されたことを検知すると（ステップＡ１０６）、ＰｏＣ放送グループに２以上の端末が加わった状態となる。そして、情報端末１０は、話者権を自端末（情報端末１０）に指定したことをＰｏＣサーバ３０に伝達し、ＰｏＣサーバ３０に対して発言を送信する（ステップＡ１０７）。【００３３】
ＰｏＣサーバ３０は、話者権を情報端末１０とする指定を受けると（ステップＢ１１１の発信者に話者権設定）、情報端末１０に話者権を設定し（ステップＢ１１２）、話者権獲得者（情報端末１０）からの発言をＰｏＣ放送グループの参加者全員に送信する（ステップＢ１１４、Ｂ１１５）。【００３４】
参加中の携帯端末は、話者権が自端末（携帯端末）にない場合は、ＰｏＣサーバ３０から受信した発言をスピーカ１８から音声出力する（ステップＣ１０７、Ｃ１１０）。【００３５】
情報端末１０では、参加中の全携帯端末のＩＤナンバー、公開可能情報、ＰｏＣキー押下情報、グループの参加人数を表示しモニタ可能となっている（ステップＡ１０８）。ＰｏＣ放送を終了するのでなく（ステップＡ１０９のＮｏ）、話者権を他の端末に割り当てない限り（ステップＡ１１０の発信者に話者権設定）、情報端末１０において上記ステップＡ１０７（発言）と、ステップＡ１０８（メンバの状態モニタ）が繰り返される。【００３６】
以上のように、本実施形態に係るＰｏＣ放送では主に話者権が情報発信者（情報端末１０）にあり、情報発信者（情報端末１０）の発言がＰｏＣグループ全体に送信されるが、情報発信者（情報端末１０）が、任意の情報受信者（参加中の携帯端末）を指定して話者権を割り当てることも可能となっている。【００３７】
例えば、情報発信者から話者権を受信者側に割り当てる旨の操作が行われた場合は（ステップＡ１１０の受信者に話者権設定）、情報端末１０は、ＰｏＣサーバ３０に対して話者権を与えたい受信者ＩＤナンバーを通知する（ステップＡ１１１）。【００３８】
受信者ＩＤナンバーを通知されたＰｏＣサーバ３０は指定のあった受信者ＩＤナンバーに話者権を設定する（ステップＢ１１１、Ｂ１１３）。【００３９】
前記ステップＢ１１３により話者権を割り当てられた携帯端末は、操作部１５のＰｏＣ用にアサインされたＰｏＣキーを押下することにより発言可能状態となり（ステップＣ１０８のＹｅｓ）、マイク１７で拾った音声をＰｏＣサーバ３０に対して送信する（ステップＣ１０９）。もちろん、ＰｏＣキーが押下されなければ、発言が同報されてしまうことはない（ステップＣ１０８のＮｏ）。【００４０】
次いで、話者権獲得者（携帯端末）からの発言は、ＰｏＣサーバ３０によりＰｏＣ放送グループの参加者全員に送信され（ステップＢ１１４、Ｂ１１５）、情報端末１０においても音声出力が行われる（ステップＡ１１２、Ａ１１３）。【００４１】
その後の携帯端末におけるＰｏＣキー押下情報は、ＰｏＣサーバ３０に常に送信され（ステップＣ１１１）、情報端末１０において、話者権が割り当てられた携帯端末のＰｏＣキー押下情報をモニタし、当該携帯端末ユーザの状態を確認することにより（ステップＡ１０８）、話者権を自端末に戻すタイミングをつかむことが可能となる。【００４２】
また、ＰｏＣサーバ３０は、参加中の各携帯端末の有効期間を管理しており、ＰｏＣ放送終了通知を受信した場合と（ステップＢ１１６のＹｅｓ）、有効期間が無効となった受信者がある場合は（ステップＢ１１７のＹｅｓ）、該当携帯端末をＰｏＣ放送グループから削除し、該当する携帯端末に対して終了通知を送信する（ステップＢ１１８）。また、ＰｏＣサーバ３０は、情報端末１０に対して、ＰｏＣ放送グループからの削除処理を反映した前記受信者状況を通知する（ステップＢ１１９）。【００４３】
携帯端末は終了通知を受信すると（ステップＣ１１３）、その終了理由（ＰｏＣの放送終了、有効期間の完了等）の旨の表示を行いＰｏＣ放送の受信を終了する（ステップＣ１１４、Ｃ１１５）。【００４４】
また、上記した終了トリガは、ユーザ操作及び有効期間満了の２つとしているが、携帯端末が非接触ＩＣ１９を備えている場合には、非接触ＩＣシステムの出口ゲート通過によってＰｏＣ放送の受信が自動的に終了できるよう、放送エリアの出口にゲート装置を配設してもよい。【００４５】
また、情報端末１０からＰｏＣサーバ３０に対してＰｏＣ放送の終了が通知され（ステップＡ１０９のＹｅｓ）、ＰｏＣサーバ３０で終了通知が受信されると（ステップＢ１２０）、ＰｏＣサーバ３０は、参加中の全携帯端末に対してＰｏＣ放送の終了通知を送信し（ステップＢ１２１）、ＰｏＣ放送を終了する（ステップＡ１１４、Ｂ１２２）。【００４６】
以上のとおり、ＰｏＣグループのメンバを発信者と受信者とに分け、情報発信者（第１種の端末）に話者権の付与権を与え、話者権のコントロールを可能とすることにより、情報発信者（第１種の端末）が主に発言を行い、情報受信者（第２種の端末）が主に発言を受信するという、放送システムと同等のＰｏＣシステムが構成される。また、状況に応じて、情報発信者（第１種の端末）が特定の情報受信者（第２種の端末）に話者権を与えることにより、情報受信者（第２種の端末）からの情報を適宜に得ることが可能となる。【００４７】
従って、本発明は、司会者がレポーターにマイクを回すタイプの放送に好適に適用可能であり、また、議長が出席者に順次発言を求めるタイプの会議、管理者が構成員に順次状況報告を求める業務システム等にも好適に適用可能である。【００４８】
また、上記したように、ＰｏＣ放送グループに参加している携帯端末の情報を基本的に秘匿としていることも、ラジオ放送同様、不特定多数のメンバの参加（受信）を前提とする放送に好適な特性となっている。また、ＰｏＣ放送を運営するにあたって有益な情報の提供は、任意に参加者から公開可能な情報のみを開示させることにより達成されている。【００４９】
また、さらに広いエリアでの使用を想定した場合、ＰｏＣ放送エリアを複数設け、各ＰｏＣ放送エリア間に非接触ＩＣにＰｏＣアドレスを送信するゲート装置を設ける構成とすることができる。この場合、ゲート装置近傍を通過することにより、ＰｏＣ放送アドレスの自動切替が行われ、ユーザが意識することなく、ユーザの所在地に適したエリアのＰｏＣ放送を受信可能となる。【００５０】
またＰｏＣアドレスの入手時に、自動的にＰｏＣアドレスを携帯端末内のメモリに登録しブックマークとして呼び出し可能とすることにより、該ＰｏＣアドレスの有効期間内であれば、簡便にＰｏＣサーバへアクセスしＰｏＣ放送を受信することのできる構成が得られる。【００５１】
以上、本発明の好適な実施形態を説明したが、上記した話者権及び発言をデータ送信権及びデータ（マルチメディアデータ）に置き換えることにより、所定者の主導の下、音声以外のデータを送受信する通信システムにも変形することが可能である。【００５２】
また、上記した実施形態では、情報端末１０のみを情報発信者（第１種の端末）とする例を挙げて説明したが、ＩＰネットワークに接続されたその他の情報端末の第１種の端末としての参加を許容してもよいし、所定の携帯端末に情報発信者（第１種の端末）としての権限を与えても良い。【００５３】
また、上記した実施形態では、携帯端末を受信端末としたＰｏＣ放送システムの例を挙げて説明したが、参加メンバのステータスを２つに分けてそれぞれ管理し、一方のみにデータ送信権の割り当て権限を与えるという範囲において、ＰＴＴ技術を用いて半２重の通話サービスを提供するその他の通信システムにも適用可能であることはいうまでもない。
【図面の簡単な説明】
【００５４】
【図１】本発明の第１の実施形態に係る放送システム（ＰｏＣ放送システム）の構成を表した図である。
【図２】本発明の第１の実施形態に係る放送システム（ＰｏＣ放送システム）で用いられる携帯端末の詳細構成を表した図である。
【図３】本発明の第１の実施形態に係る放送システム（ＰｏＣ放送システム）の情報端末の動作を説明するための図である。
【図４】本発明の第１の実施形態に係る放送システム（ＰｏＣ放送システム）のＰｏＣサーバの動作を説明するための図である。
【図５】本発明の第１の実施形態に係る放送システム（ＰｏＣ放送システム）の携帯端末の動作を説明するための図である。
【符号の説明】
【００５５】
１０    情報端末（Ｓｅｎｄｅｒ；発信者）
１２    制御部
１３    メモリ
１４    無線部
１５    操作部
１６    表示部
１７    マイク
１８    スピーカ
１９    非接触ＩＣ
２０    カメラ
３０    ＰｏＣサーバ
ＭＳ１〜ＭＳｎ    携帯端末（Ｒｅｃｉｐｉｅｎｔ）
【図１】
2007015488.tif 000002
【図２】
2007015488.tif 000003
【図３】
2007015488.tif 000004
【図４】
2007015488.tif 000005
【図５】
2007015488.tif 000006
【国際調査報告】
2007015488.tif 000007
2007015488.tif 000008
2007015488.tif 000009